(57)【要約】【課題】放散器本体を単純な形状として縦面に取付けて使用できると共に、使用時に十分な装飾効果が得られる送風式の薬剤放散装置とする。【解決手段】放散器本体１０に送風機１１と薬剤１２を設け、その送風機１１を駆動することで吸込口１３から空気を吸い込み、薬剤を含む空気を放出口１４から放出する送風式の薬剤放散器１と、前記薬剤放散器１を縦面Ａに取付けて使用するための薬剤放散器取付具２を備え、この薬剤放散器取付具２は、縦面Ａに接する縦面当接部２ａと、前記放散器本体１０が取付けられて支持する薬剤放散器支持部２ｂと、装飾物を取付ける装飾物取付部２ｃと、縦面Ａに取付けるための縦面取付部２ｄを有し、前記縦面当接部２ａが縦面Ａに当接した状態で薬剤放散器支持部２ｂと縦面Ａとの間に空気導入用空間ａを形成し、放散器本体１０を取付けた状態で、その吸込口１３が空気導入用空間ａに連通すると共に、放出口１４が大気に開口するようにした送風式の薬剤放散装置。【選択図】図４
2007215712.tif 000002
【特許請求の範囲】
【請求項１】
放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用するための薬剤放散器取付具２を備え、
この薬剤放散器取付具２は、縦面Ａに接する縦面当接部２ａと、前記放散器本体１０が取付けられて支持する薬剤放散器支持部２ｂと、装飾物を取付ける装飾物取付部２ｃと、縦面Ａに取付けるための縦面取付部２ｄを有し、
前記縦面当接部２ａが縦面Ａに当接した状態で薬剤放散器支持部２ｂと縦面Ａとの間に空気導入用空間ａを形成し、
この薬剤放散器支持部２ｂに取付けて支持した放散器本体１０の吸込口１３が前記空気導入用空間ａに連通し、かつ放出口１４が大気に開口することを特徴とする送風式の薬剤放散装置。
【請求項２】
放散器本体１０の周面１０ｂに放出口１４が形成されていると共に、裏面１０ｃに吸込口１３が形成され、
薬剤放散器取付具２の薬剤放散器支持部２ｂは、前記放散器本体１０が挿通して支持される挿通孔２２を有し、
この挿通孔２２に挿通して支持された放散器本体１０の吸込口１３が前記空気導入用空間ａに連通するようにした請求項１記載の送風式の薬剤放散装置。
【請求項３】
薬剤放散器取付具２は、前後方向に離隔した複数の挿通孔２２を有し、
この複数の挿通孔２２に亘って放散器本体１０を挿通して支持するようにした請求項２記載の送風式の薬剤放散装置。
【請求項４】
放散器本体１０は周面１０ｂよりも突出した突部を有し、
この突部を挿通孔２２の周縁に当接して抜け落ちないように支持する請求項２又は３記載の送風式の薬剤放散装置。
【請求項５】
放散器本体１０の周面１０ｂに突条片４０を設け、
薬剤放散器取付具２の挿通孔２２には、前記突条片４０が挿通する切欠部４１を有し、
前記突条片４０を切欠部４１に挿通した状態から放散器本体１０を周方向に回転することで、その突条片４０を弾性変形して挿通孔２２の切欠部４１以外の内面に圧接することで抜け落ちないように支持する請求項２又は３記載の送風式の薬剤放散装置。
【発明の詳細な説明】
【技術分野】
【０００１】
本発明は、居住空間の壁やドアなどの縦面に取付けて使用する送風式の薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
【０００３】
【特許文献１】特開２００３−１０２３６１号公報
【発明の開示】
【発明が解決しようとする課題】
【０００４】
前述した従来の送風式の薬剤放散器は、主として使用者の腰に吊り下げて使用するタイプの薬剤放散器である。
一方、薬剤放散器を壁やドアなどの縦面に取付けて使用することが考えられるが、このようにするには前述したタイプの薬剤放散器をそのまま使用することは困難で、放散器本体を縦面に取付けできる形状としなければならない。例えば、縦面に接する取付面を有する形状としなければならない。
しかし、このようにすると放散器本体の形状が複雑化して製作コストが高くなる。
【０００５】
また、快適な居住空間を得るには、芳香等の薬剤効果を得ると共に、その空間に装飾効果を得て雰囲気を変えることも重要なことである。
しかし、従来の送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
これらのことから、放散器本体自身に装飾物を取付けて装飾効果を得ることが考えられるが、そのようにすると放散器本体の形状が複雑化して、その製作コストが高くなる。
【０００６】
このようであるから、縦面に取付けて使用できると共に、使用時に十分な装飾効果が得られるようにすると、放散器本体の形状が著しく複雑化して製作コストが著しく高くなる。
【０００７】
本発明の目的は、送風式の薬剤放散器の放散器本体を単純な形状として縦面に取付けて使用できると共に、使用時に十分な装飾効果が得られるようにした送風式の薬剤放散装置を提供することである。
【課題を解決するための手段】
【０００８】
第１の発明は放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用するための薬剤放散器取付具２を備え、
この薬剤放散器取付具２は、縦面Ａに接する縦面当接部２ａと、前記放散器本体１０が取付けられて支持する薬剤放散器支持部２ｂと、装飾物を取付ける装飾物取付部２ｃと、縦面Ａに取付けるための縦面取付部２ｄを有し、
前記縦面当接部２ａが縦面Ａに当接した状態で薬剤放散器支持部２ｂと縦面Ａとの間に空気導入用空間ａを形成し、
この薬剤放散器支持部２ｂに取付けて支持した放散器本体１０の吸込口１３が前記空気導入用空間ａに連通し、かつ放出口１４が大気に開口することを特徴とする送風式の薬剤放散装置である。
【０００９】
第２の発明は、第１の発明において、放散器本体１０の周面１０ｂに放出口１４が形成されていると共に、裏面１０ｃに吸込口１３が形成され、
薬剤放散器取付具２の薬剤放散器支持部２ｂは、前記放散器本体１０が挿通して支持される挿通孔２２を有し、
この挿通孔２２に挿通して支持された放散器本体１０の吸込口１３が前記空気導入用空間ａに連通するようにした送風式の薬剤放散装置である。
【００１０】
第３の発明は、第２の発明において、薬剤放散器取付具２は、前後方向に離隔した複数の挿通孔２２を有し、
この複数の挿通孔２２に亘って放散器本体１０を挿通して支持するようにした送風式の薬剤放散装置である。
【００１１】
第４の発明は、第２又は第３の発明において、放散器本体１０は周面１０ｂよりも突出した突部を有し、
この突部を挿通孔２２の周縁に当接して抜け落ちないように支持する送風式の薬剤放散装置である。
【００１２】
第５の発明は、第２又は第３の発明において、放散器本体１０の周面１０ｂに突条片４０を設け、
薬剤放散器取付具２の挿通孔２２には、前記突条片４０が挿通する切欠部４１を有し、
前記突条片４０を切欠部４１に挿通した状態から放散器本体１０を周方向に回転することで、その突条片４０を弾性変形して挿通孔２２の切欠部４１以外の内面に圧接することで抜け落ちないように支持する送風式の薬剤放散装置である。
【発明の効果】
【００１３】
第１の発明によれば、薬剤放散器取付具２の薬剤放散器支持部２ｂに放散器本体１０を取付けて支持し、その状態で縦面取付部２ｄによって薬剤放散器取付具２を、その縦面当接部２ａが縦面Ａに当接するように取付けることで、送風式の薬剤放散器１を縦面Ａに取付けて使用できると共に、装飾物取付部２ｃに装飾物を取付けできる。
したがって、放散器本体１０を単純な形状として縦面に取付けて使用できると共に、使用時に十分な装飾効果が得られる。
【００１４】
また、放散器本体１０の吸込口１３は薬剤放散器支持部２ｂと縦面Ａとの間の空気導入空間ａに連通しているので、その吸込口１３にスムーズに空気が導入される。
【００１５】
第２の発明によれば、放散器本体１０を挿通孔２２を挿通して取付けて支持できると共に、放散器本体１０を挿通した状態で吸込口１３が空気導入用空間ａに連通するので、放散器本体１０を簡単に取付け支持できる。
【００１６】
第３の発明によれば、放散器本体１０を複数の挿通孔２２で支持するので、安定して支持できる。
【００１７】
第４の発明によれば、放散器本体１０を挿通して突部を挿通孔２２の周縁に当接することで、抜け落ちないように支持できるから、縦面Ａに取付けて使用する時に放散器本体１０が落下等することがない。
【００１８】
第５の発明によれば、突条片４０を切欠部４１に合せて挿通孔２２に放散器本体１０を挿通し、その状態で放散器本体１０を若干回転することで突条片４０が挿通孔２２の内面に圧接するので、放散器本体１０が落下等することがない。
【発明を実施するための最良の形態】
【００１９】
本発明の第１の実施の形態を図１〜図５に基づいて説明する。
送風式の薬剤放散器１と、この薬剤放散器１を縦面Ａに取付けるための薬剤放散器取付具２で送風式の薬剤放散装置を構成している。
【００２０】
前記薬剤放散器１は、放散器本体１０内に送風機１１と薬剤１２を設け、その送風機１１を駆動することで吸込口１３から空気を吸い込み、その空気を薬剤１２に接触しながら放出口１４から外部に放出するものである。
【００２１】
前記薬剤放散器取付具２は縦面Ａに当接する縦面当接部２ａと、放散器本体１０が取付けられて支持する薬剤放散器支持部２ｂと、装飾物を取付ける装飾物取付部２ｃと、縦面Ａに取付けるための縦面取付部２ｄを備えている。
前記縦面当接部２ａと薬剤放散器支持部２ｂは離隔し、その縦面当接部２ａが縦面Ａに当接した状態で薬剤放散器支持部２ｂと縦面Ａとの間に空気導入用空間ａを形成する。
【００２２】
前記放散器本体１０は薬剤放散器支持部２ｂに、その吸込口１３が前記縦面当接部２ａ側に突出して支持され、その吸込口１３が前記空気導入用空間ａに連通している。
前記放出口１４は薬剤放散器支持部２ｂよりも縦面当接部２ａと反対側に突出し、大気に開口する。
このようであるから、放散器本体１０を支持した薬剤放散器取付具２を縦面Ａに取付けることで、薬剤放散器１を縦面Ａに取付けできる。
また、薬剤放散器１を縦面に取付けて使用する時に、空気導入用空間ａから空気をスムーズに導入し、吸込口１３に吸い込み、薬剤を含有した空気が放出口１４から大気にスムーズに放出するので、薬剤を効率良く大気に放散できる。
また、装飾物取付部２ｃに装飾物を取付けることで、使用時に十分な装飾効果が得られる。
また、放散器本体１０は縦面に取付けできる形状としたり、十分な装飾効果が得られる形状とする必要がなく、放散器本体１０を単純な形状にできる。
【００２３】
次に、各部材の具体形状を説明する。
前記放散器本体１０は、前面１０ａと、周面１０ｂで後面１０ｃが開口した箱形状で、送風機収納室１５と薬剤収納室１６と電池収納室１７を有し、送風機収納室１５と薬剤収納室１６は開口部１８で連通している。
前記前面１０ａは閉塞され、周面１０ｂには送風機収納室１５に開口した前記放出口１４が形成してある。前記薬剤収納室１６は後面１０ｃに開口し、後面１０ｃから薬剤１２を挿入できるようにしていると共に、後面１０ｃに前記吸込口１３を形成している。
つまり、この実施の形態の薬剤放散器１はテーブルなどの横面に設置して使用するタイプの薬剤放散器と同様で、放散器本体１０は単純な形状である。
【００２４】
前記薬剤１２は、薬剤容器１２ａに薬剤含浸体1２ｂを入れ、押え部材１２ｃで保持したもので、その薬剤容器１２ａの通気部１２ｄ、押え部材１２ｃの通気部１２ｅを空気が流れることで薬剤含浸体１２ｂに空気が流通する。
前記薬剤１２は薬剤収納室１６内に挿入され、放散器本体１０の周面１０ｂに着脱自在に取付けした保持プレート１９で抜け落ちないように保持している。
この保持プレート１９に通気部１９ａが形成されている。
【００２５】
前記薬剤放散器取付具２は、板状の本体２０の幅方向両側部が裏面に向けて湾曲し、その湾曲片２１の先端面２１ａが縦面当接部２ａとしてある。前記本体２０に放散器本体１０が挿通する大径の挿通孔２２を形成して薬剤放散器支持部２ｂとしてある。
薬剤放散器１は、その放散器本体１０を本体２０の裏面側から挿通孔２２内に挿通し、保持プレート１９を本体２０の裏面に接して抜け落ちないようにして支持される。
つまり、保持プレート１９は挿通孔２２よりも大径で、本体２０の裏面における挿通孔２２の周縁部に当接する。図４に示す実施の形態では、スペーサ１９ｂを介して当接している。
【００２６】
前記本体２０の表面上部にフック２３を設けて装飾物取付部２ｃとしてある。この装飾物取付部２ｃはフック２３に限ることはなく、図５に仮想線で示すように表面にコ字状片２４を設けて上部が開口したポケット形状としても良い。また、フック２３とコ字状片２４を組み合せて用いても良い。
例えば、図１に仮想線で示すように造花などの装飾物Ｂをフック２３に引掛けて取付ける。
【００２７】
前記本体２０の上部に穴２５を形成し、この穴２５に図１に仮想線で示すように吊り索条Ｃを連結し、その吊り索条Ｃで吊り下げて縦面に取付けるようにしてあり、その穴２５が縦面取付部２ｄである。
【００２８】
次に、本発明の第２の実施の形態を図６、図７に基づいて説明する。
この実施の形態は、薬剤放散器取付具２が第１の実施の形態と相違し、薬剤放散器１は第１の実施の形態と同様である。
前記薬剤放散器取付具２は、板状の本体２０の幅方向両側部がコ字形状に折り曲げてあり、このコ字状片２６の裏面２６ａが縦面当接部２ａである。このコ字状片２６と本体２０で中空部２７を形成している。
前記本体２０に挿通孔２２を形成して薬剤放散器支持部２ｂとしてある。
前記本体２０に、中空部２７に開口した穴２８を形成し、この穴２８から装飾物を中空部２７に差し込むようにして装飾物取付部２ｃとしてある。また、装飾物を前記穴２８以外にも中空部２７に差し込んでも良い。
【００２９】
次に、本発明の第３の実施の形態を図８、図９に基づいて説明する。
この実施の形態は、薬剤放散器取付具２が第１・第２の実施の形態と相違し、薬剤放散器１は第１・第２の実施の形態と同様である。
この実施の形態の薬剤放散器取付具２は、薬剤放散器支持部２ｂを前後方向に離隔した複数の挿通孔２２を有する形状としたものである。
このようにすれば、放散器本体１０を２つの挿通孔２２に亘って挿通して２ケ所で支持できるから、薬剤放散器１を安定してしっかりと支持できる。
【００３０】
例えば、薬剤放散器取付具２は前後方向に離隔した前面板３０と裏面板３１を備え、その前面板３０と裏面板３１に挿通孔２２を対向して形成し、放散器本体１０を裏面側から各挿通孔２２に挿通して支持するようにしてある。
具体的には、前面板３０と裏面板３１を左右の端面板３２で一体的に連続して箱形状の本体３３とする。この裏面板３１の幅方向両側縁を前面板３０に向けて折曲して裏面板３１の挿通孔２２を形成した中央部分３１ａよりも端面板３２の端面３２ａが裏面側に位置するようにし、その端面板３２の端面３２ａを縦面当接部２ａとする。
これにより、図８に示すように縦面Ａと裏面板３１の中央部分３１ａとの間に空気導入用空間ａが形成される。
【００３１】
前記端面板３２に円弧状片３４を固着して上向きに開口したポケット状の装飾物取付部２ｃとする。
裏面板３１の上部に穴２５を形成して縦面取付部２ｄとする。
【００３２】
前述の実施の形態の薬剤放散器取付具２の前面板３０の上端面に図１０に示すように突起片３５を一体的に設けて装飾物取付部２ｃとしても良い。
このようにすれば、造花などの装飾物を突起片３５に引掛けて取付けできる。
この実施の形態の端面板３２に設けたポケット形状の装飾物取付部２ｃは、その前面２ｃ−１が垂直に対して上部が前面寄りとなるように傾斜している。
これによって、造花などの長尺な装飾物を差し込んで取付けた時に、その装飾物は前側に傾斜した姿勢となって見栄えが良い。
【００３３】
前述の図９、図１０に示す薬剤放散取付具２は、端面板３２を設けて左右の端面を閉塞し、上面と下面を開放したが、これに限ることはなく、端面と下面を開放し、上面を閉塞するようにしても良いし、端面と上面を開放し、下面を閉塞しても良い。
例えば、図１１に示すように、前面板３０と裏面板３１との上部を複数の連結材３６で連結して左右の端面と下面を開放する。
このようにすれば、連結材３６を装飾物取付部２ｃとして利用できるし、吊下げ索条を連結する縦面取付部２ｄとして利用できる。
【００３４】
前述の各実施の形態では、放散器本体１０を挿通孔２２に挿通して保持プレート１９を挿通孔２２の周縁部を当接して抜け落ちないようにしたが、これに限ることはなく、種々の手段で抜け落ちないようにできる。
例えば、保持プレート１９の代りに、放散器本体１０の周面に突起を設けて挿通孔２２の周縁部に当接する。つまり、放散器本体１０の周面１０ｂに突部（保持プレート、突起）を設ければ良い。
または、放散器本体１０の周面と挿通孔２２との摩擦抵抗で抜け落ちないようにする。
【００３５】
具体的には図１２、図１３に示すように放散器本体１０の周面１０ｂに突条片４０を設ける。この突条片４０は周方向に円弧形状で、かつ弾性変形し易いものが好ましい。
挿通孔２２の内径を前記突条片４０の突部を結ぶ仮想円の外径よりも小さくする。つまり、挿通孔２２の内径を放散器本体１０の外径と同一若しくは若干大きくする。
前記挿通孔２２に切欠部４１を形成する。この切欠部４１は前記突条片４０よりも若干大きく、その切欠部４１に突条片４０が入り込むようにしている。
【００３６】
薬剤放散器１を取付けるには、突条片４０を切欠部４１に合わせて放散器本体１０を挿通孔２２内に挿通する。
この後に放散器本体１０を若干回転して突条片４０を弾性変形しながら挿通孔２２に接触させる。
これによって、突条片４０と挿通孔２２がしっかりと接触して摩擦抵抗が著しく大となるから、抜け落ちることがない。
【００３７】
なお、薬剤放散器１は前後方向から挿通孔２２に挿通して取付けて支持するのに限ることはなく、薬剤放散器取付具２の上方又は下方から押し込むことで取付けて支持するようにしても良い。
【００３８】
前述の各実施の形態において、装飾物を装飾物取付部２ｃに取付ける際、放散器本体１０の前面１０ａは閉塞されているので、装飾物を放散器本体１０の前面１０ａを覆うようにして薬剤放散器取付具２の前面の全てを覆うようにして飾ることができる。また、放散器本体１０の後面１０ｃ側に薬剤１２及び吸込口１３があるので、装飾物により薬剤１２を傷つけたり、吸込口１３を塞いだりすることがない。
また、前述の各実施の形態の放散器本体１０は、その前面１０ａに電池収納室１７を設けたが、これに限ることはなく、電池収納室１７は放散器本体１０の周面１０ｂに設けても良い。
【００３９】
本発明に用いられる装飾物として、花、観葉植物、草花、などの人工花、草、木や犬、猫、鳥、魚、蝶、などの創作動物、昆虫や果実、乗物、人形、ぬいぐるみ、写真、など見て美しい物、楽しいもの、癒やすもの、好きなもの、などが挙げられる。
例えば、造花例としては壁掛け調、花輪調、コサージュ調、ブーケ調、髪飾り調、寄せ花調、花瓶等押し花調、一輪挿し調、枝垂調、などのオリジナル造花が挙げられる。
【００４０】
本発明の薬剤含浸体３１の材質として無機質及び有機質の成形材料から成形されたものとしては、紙類（パルプ、リンター、合成紙など）、木製類（おがくずなど）セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体３１を送風機のファンに保持しても良い。
【図面の簡単な説明】
【００４１】
【図１】本発明の第１の実施の形態を示す正面図である。
【図２】本発明の第１の実施の形態を示す平面図である。
【図３】本発明の第１の実施の形態を示す側面図である。
【図４】本発明の第１の実施の形態を示す縦断面図である。
【図５】薬剤放散器取付具の斜視図である。
【図６】本発明の第２の実施の形態を示す縦断面図である。
【図７】薬剤放散器取付部の斜視図である。
【図８】本発明の第３の実施の形態を示す縦断面図である。
【図９】薬剤放散器取付部の斜視図である。
【図１０】薬剤放散器取付具の他の例を示す斜視図である。
【図１１】薬剤放散器取付具の他の例を示す斜視図である。
【図１２】本発明の第４の実施の形態を示す正面図である。
【図１３】本発明の第４の実施の形態を示す一部破断側面図である。
【符号の説明】
【００４２】
１…送風式の薬剤放散器、２…薬剤放散器取付具、２ａ…縦面当接部、２ｂ…薬剤放散器支持部、２ｃ…装飾物取付部、２ｄ…縦面取付部、１０…放散器本体、１１…送風機、１２…薬剤、１３…吸込口、１４…放出口、２０…本体、２２…挿通孔、２３…フック、２４…コ字状片、３０…表面板、３１…裏面板、３２…端面板、３６…連結材、４０…突状片、４１…切欠部。
【図１】
2007215712.tif 000003
【図２】
2007215712.tif 000004
【図３】
2007215712.tif 000005
【図４】
2007215712.tif 000006
【図５】
2007215712.tif 000007
【図６】
2007215712.tif 000008
【図７】
2007215712.tif 000009
【図８】
2007215712.tif 000010
【図９】
2007215712.tif 000011
【図１０】
2007215712.tif 000012
【図１１】
2007215712.tif 000013
【図１２】
2007215712.tif 000014
【図１３】
2007215712.tif 000015